(57)【要約】【課題】居室親機のモニタに、必要な複数の映像情報を瞬時に表示できるようにする。【解決手段】集合住宅のエントランスに設置され訪問者が居住者を呼び出すためのカメラ付集合玄関機４と、カメラ付集合玄関機４からの画像を表示するためのモニタ２０を有する居室親機１と、集合住宅のエントランスや共用部に設置される増設カメラ５が接続されカメラ付集合玄関機４および居室親機１を制御するための制御機３とを備え、居室親機１は、カメラ付集合玄関機４の画像、増設カメラ５の画像をモニタ２０に選択して表示するための切替ボタン２２を有し、制御機３は、切替ボタン２２によって選択することによりカメラ付集合玄関機４の画像または増設カメラ５の画像を取得し切替表示するための制御を行なう制御機ＣＰＵ３１ａを有する。【選択図】図１
2004180086.tif 000002
【特許請求の範囲】
【請求項１】
集合住宅のエントランスに設置され訪問者が居住者を呼び出すためのカメラ付集合玄関機（４）と、前記カメラ付集合玄関機からの画像を表示するためのモニタ（２０）を有する居室親機（１）と、前記集合住宅のエントランスなどの共用部に設置される増設カメラ（５）が接続され前記カメラ付集合玄関機および前記居室親機を制御するための制御機（３）とを備え、
前記居室親機は、前記カメラ付集合玄関機の画像、前記増設カメラの画像を前記モニタに選択して表示するための切替ボタン（２２）を有し、
前記制御機は、前記切替ボタンによって選択することにより前記カメラ付集合玄関機の画像または前記増設カメラの画像を取得し切替表示するための制御を行なう制御機ＣＰＵ（３１ａ）を有することを特徴とする集合住宅インターホン装置。
【請求項２】
集合住宅のエントランスに設置され訪問者が居住者を呼び出すためのカメラ付集合玄関機（４）と、前記カメラ付集合玄関機からの映像を表示するためのモニタ（２０）を有する居室親機（１）と、前記集合住宅のエントランスなどの共用部に設置される増設カメラ（５）が接続され前記カメラ付集合玄関機および前記居室親機を制御するための制御機（３）とを備え、
前記制御機は、前記カメラ付集合玄関機の画像、前記増設カメラの画像を同時に受信したときに全ての画像を前記居室親機の前記モニタに同時表示させるための制御を行なう制御機ＣＰＵ（３１ｂ）を有することを特徴とする集合住宅インターホン装置。
【請求項３】
前記制御機は、前記カメラ付集合玄関機の画像、前記増設カメラの画像を同時に受信したときに全ての画像を前記居室親機の前記モニタに表示させるために分割表示画面を作成する制御機ＣＰＵ（３１ｃ）を有することを特徴とする請求項２記載の集合住宅インターホン装置。
【請求項４】
集合住宅のエントランスに設置され訪問者が居住者を呼び出すためのカメラ付集合玄関機（４）と、前記カメラ付集合玄関機からの画像を表示するためのモニタ（２０）を有する居室親機（１）と、前記カメラ付集合玄関機および前記居室親機を制御するための制御機（３）とを備え、
前記居室親機には、火災センサ、ガスセンサ等のセキュリティセンサ（６）、住戸玄関に設置されるカメラ付ドアホン（２）、前記集合住宅のエントランスなどの共用部に設置される増設カメラ（５）のうち少なくとも１つが接続され、
前記居室親機は、前記カメラ付集合玄関機からの画像、前記セキュリティセンサからのセンサ信号に基づく画像、前記増設カメラからの画像、前記カメラ付ドアホンからの画像を同時に複数受信したとき前記モニタに切替表示する画面を切り替えるための切替ボタン（２２）と、前記切替ボタンで切替られた前記カメラ付集合玄関機からの画像、前記セキュリティセンサからのセンサ信号、前記増設カメラからの画像、前記カメラ付ドアホンからの画像を前記モニタに切替表示させるための画像表示制御部（１７ａ）とを備えたことを特徴とする集合住宅インターホン装置。
【請求項５】
集合住宅のエントランスに設置され訪問者が居住者を呼び出すためのカメラ付集合玄関機（４）と、前記カメラ付集合玄関機からの画像を表示するためのモニタ（２０）を有する居室親機（１）と、前記集合玄関機および前記居室親機を制御するための制御機（３）とを備え、
前記居室親機には、火災センサ、ガスセンサ等のセキュリティセンサ（６）、住戸玄関に設置されるカメラ付ドアホン（２）、前記集合住宅のエントランスなどの共用部に設置される増設カメラ（５）のうち少なくとも１つが接続され、
前記居室親機は、前記カメラ付集合玄関機からの画像、前記セキュリティセンサからのセンサ信号に基づく画像、前記増設カメラからの画像、前記カメラ付ドアホンからの画像を同時に複数受信したときに全ての画像を前記モニタに同時表示させるための画像表示制御部（１７ｂ）を備えたことを特徴とする集合住宅インターホン装置。
【請求項６】
前記居室親機は、前記カメラ付集合玄関機からの画像、前記セキュリティセンサからのセンサ信号に基づく画像、前記増設カメラからの画像、前記カメラ付ドアホンからの画像を同時に複数受信したときに全ての画像を前記居室親機の前記モニタに分割表示させるために分割表示画面を作成する画像表示制御部（１７ｃ）を備えたことを特徴とする請求項５記載の集合住宅インターホン装置。
【発明の詳細な説明】
【０００１】
【発明の属する技術分野】
本発明は、集合住宅インターホン装置に係り、特にカメラ付集合玄関機からの画像、増設カメラからの画像、さらには、カメラ付ドアホン子機からの画像および火災センサ、ガスセンサ等のセキュリティセンサからのセンサ信号に基づく画像を居室親機のモニタで切替表示、同時表示または分割表示する集合住宅インターホン装置に関する。
【０００２】
【従来の技術】
従来から、管理人室などに設置されモニタテレビを有する警報監視盤（管理人室親機）と、共同玄関などに設置されテレビカメラを有するロビーインターホン（カメラ付集合玄関機）と、各住戸内に設置されモニタテレビを有する住宅情報盤（居室親機）とから構成され、これら端末は多重信号線、通話信号線および映像信号線によって接続されている（例えば、特許文献１参照）。また、警報監視盤には、原稿用紙に記載された画像情報を読み取ってイメージデータに変換するイメージリーダが備えられ、このイメージリーダで読み取られた原稿用紙のデータは住宅情報盤の録画ユニットに記憶される。
【０００３】
このような集合住宅用監視通話システムにおいて、ロビーインターホンから特定の住戸の住宅情報盤を呼び出すと、ロビーインターホンのテレビカメラで撮影された映像が住宅情報盤のモニタテレビに映し出され、この呼び出しに対して住宅情報盤で応答すると、ロビーインターホンおよび特定の住戸の住宅情報盤間の通話路が形成される。また、ロビーインターホンから警報監視盤を呼び出すと、ロビーインターホンのテレビカメラで撮影された映像が警報監視盤のモニタテレビに映し出され、この呼び出しに対して警報監視盤で応答すると、ロビーインターホンおよび警報監視盤の通話路が形成される。さらに、住宅情報盤の録画ユニットに記憶された警報監視盤のイメージリーダで読み取られた原稿用紙のデータは、住宅情報盤を操作することにより映し出すことができる。
【０００４】
【特許文献１】特開平０５−８９３７５号公報（第２−第４頁、第１図、第２図）
【０００５】
【発明が解決しようとする課題】
しかしながら、このような集合住宅用監視通話システムでは、例えば警報監視盤のイメージリーダで読み取られた原稿用紙の映像を住宅情報盤のモニタテレビで映し出している時に、ロビーインターホンのテレビカメラからの映像を確認したい時には、原稿用紙の映像を消してから新たに映し出す必要があるので、必要な映像情報を取得できなくなる虞があった。
【０００６】
また、これら端末同士の伝送ラインを切り替え制御する制御機を設けたとしても、同様の難点を解消することはできない。
【０００７】
本発明は、このような従来の難点を解決するためになされたもので、居室親機または制御機に画像表示制御部を設けることによって映像の切替表示、同時表示または分割表示できる集合住宅インターホン装置を提供することを目的とする。
【０００８】
【課題を解決するための手段】
上記目的を達成する本発明の集合住宅インターホン装置は、集合住宅のエントランスに設置され訪問者が居住者を呼び出すためのカメラ付集合玄関機と、カメラ付集合玄関機からの画像を表示するためのモニタを有する居室親機と、集合住宅のエントランスなどの共用部に設置される増設カメラが接続されカメラ付集合玄関機および居室親機を制御するための制御機とを備えている。
【０００９】
この居室親機は、カメラ付集合玄関機の画像、増設カメラの画像をモニタに選択して表示するための切替ボタンを有しているものである。また、制御機は、切替ボタンによって選択することによりカメラ付集合玄関機の画像または増設カメラの画像を取得し切替表示するための制御を行なう制御機ＣＰＵを有するものである。
【００１０】
このような集合住宅インターホン装置によれば、居室親機の切替ボタンを選択操作することにより、制御機の制御ＣＰＵがその選択操作に応じてカメラ付集合玄関機の画像または増設カメラの画像を取得して当該居室親機に送出するので、当該居室親機の切替ボタンを選択操作するだけで必要な映像情報を容易に取得できる。
【００１１】
また、上記目的を達成する本発明の集合住宅インターホン装置は、集合住宅のエントランスに設置され訪問者が居住者を呼び出すためのカメラ付集合玄関機と、カメラ付集合玄関機からの画像を表示するためのモニタを有する居室親機と、集合住宅のエントランスなどの共用部に設置される増設カメラが接続されカメラ付集合玄関機および居室親機を制御するための制御機とを備えている。
【００１２】
この制御機は、カメラ付集合玄関機の画像、増設カメラの画像を同時に受信したときに全ての画像を居室親機のモニタに同時表示させるための制御を行なう制御機ＣＰＵを有するものである。また、制御機は、カメラ付集合玄関機の画像、増設カメラの画像を同時に受信したときに全ての画像を居室親機のモニタに表示させるために分割表示画面を作成する制御機ＣＰＵを有するものである。
【００１３】
このような集合住宅インターホン装置によれば、制御機の制御ＣＰＵは、カメラ付集合玄関機の画像、増設カメラの画像を同時に受信すると、居室親機のモニタに分割表示画面などに変換して同時表示できるように制御するので、二種類の必要な映像情報を同時に取得できる。
【００１４】
また、上記目的を達成する本発明の集合住宅インターホン装置は、集合住宅のエントランスに設置され訪問者が居住者を呼び出すためのカメラ付集合玄関機と、カメラ付集合玄関機からの画像を表示するためのモニタを有する居室親機と、カメラ付集合玄関機および居室親機を制御するための制御機とを備えている。
【００１５】
この居室親機には、火災センサ、ガスセンサ等のセキュリティセンサ、住戸玄関に設置されるカメラ付ドアホン、集合住宅のエントランスなどの共用部に設置される増設カメラのうち少なくとも１つが接続されているものである。また、居室親機は、カメラ付集合玄関機からの映像、セキュリティセンサからのセンサ信号に基づく画像、増設カメラからの画像、カメラ付ドアホンからの画像を同時に複数受信したときモニタに切替表示する画面を切り替えるための切替ボタンと、切替ボタンで切替られたカメラ付集合玄関機からの画像、セキュリティセンサからのセンサ信号に基づく画像、増設カメラからの画像、カメラ付ドアホンからの画像をモニタに切替表示させるための画像表示制御部とを備えたものである。
【００１６】
このような集合住宅インターホン装置によれば、居室親機の切替ボタンを選択操作することにより、当該居室親機の画像表示制御部がその選択操作に応じて、当該居室親機に接続されているカメラの画像やセキュリティセンサからのセンサ信号を当該居室親機のモニタに切替表示するので、当該居室親機の切替ボタンを選択操作するだけで必要な映像情報を容易に取得できる。
【００１７】
また、上記目的を達成する本発明の集合住宅インターホン装置は、集合住宅のエントランスに設置され訪問者が居住者を呼び出すためのカメラ付集合玄関機と、カメラ付集合玄関機からの画像を表示するためのモニタを有する居室親機と、集合玄関機および居室親機を制御するための制御機とを備えている。
【００１８】
この居室親機には、火災センサ、ガスセンサ等のセキュリティセンサ、住戸玄関に設置されるカメラ付ドアホン、集合住宅のエントランスなどの共用部に設置される増設カメラのうち少なくとも１つが接続されているものである。また、居室親機は、カメラ付集合玄関機からの画像、セキュリティセンサからのセンサ信号に基づく画像、増設カメラからの画像、カメラ付ドアホンからの画像を同時に複数受信したときに全ての画像をモニタに同時表示させるための画像表示制御部を備えたものである。さらに、居室親機は、カメラ付集合玄関機からの映像、セキュリティセンサからのセンサ信号に基づく画像、増設カメラからの画像、カメラ付ドアホンからの画像を同時に複数受信したときに全ての画像を居室親機のモニタに分割表示させるために分割表示画面を作成する画像表示制御部を備えたものである。
【００１９】
このような集合住宅インターホン装置によれば、居室親機の画像表示制御部は、当該居室親機に接続されているカメラの画像やセキュリティセンサからのセンサ信号に基づく画像を同時に受信すると、当該居室親機のモニタに分割表示画面などに変換して同時表示できるように制御するので、複数の必要な映像情報を同時に取得できる。
【００２０】
【発明の実態の形態】
以下、本発明の集合住宅インターホン装置をその好ましい実施の形態例について図面を参照して記述する。
【００２１】
本発明の第１の実施例である集合住宅インターホン装置は図１に示すように、集合住宅のエントランスに設置され訪問者が居住者を呼び出すためのカメラ付集合玄関機４と、各居室毎に設置されカメラ付集合玄関機４からの画像を表示するためのモニタ２０を有する居室親機１と、集合住宅のエントランスなどの共用部に設置される増設カメラ５が接続されカメラ付集合玄関機４および居室親機１を制御するための制御機３と、集合住宅の管理人室に設置される管理室親機７とを備え、制御機３に対して各端末が伝送線Ｌ１〜Ｌ４によって接続されている。
【００２２】
居室親機１は、カメラ付集合玄関機４の画像、増設カメラ５の画像をモニタ２０に選択して表示するための切替ボタン２２を有している。このような居室親機１は図２に示すように、制御機３へ接続させるための端子Ｔ１２、Ｔ１４、Ｔ１５と、端子Ｔ１２に接続されカメラ付集合玄関機４のカメラ４１からの画像信号が受信される映像１チャンネルインターフェース回路１２と、端子Ｔ１４に接続され呼出信号などの各種データ信号が送受信されるデータインターフェース回路１４と、端子Ｔ１５に接続され通話信号が送受信される通話インターフェース回路１５とを備えている。映像１チャンネルインターフェース回路１２および映像２チャンネルインターフェース回路１３は画像表示制御部１７に接続され、この画像表示制御部１７にはＣＰＵ１８およびモニタ２０が接続されている。このＣＰＵ１８には切替ボタン２２、データインターフェース回路１４および通話回路１９が接続されている。この通話回路１９には通話インターフェース回路１５が接続され、さらにスピーカ２３、マイク２４が接続されている。なお、図２中において、端子Ｔ１１、Ｔ１３、ドアホンインターフェース回路１１および映像２チャンネルインターフェース回路１３、さらに、画像表示制御部１７に切替表示ＣＰＵ１７ａ、同時表示ＣＰＵ１７ｂおよび分割表示ＣＰＵ１７ｃ、が記述されているが、この第１の実施例においては採用されない。
【００２３】
また、制御機３は、居室親機１の切替ボタン２２によって選択することによりカメラ付集合玄関機４の画像または増設カメラ５の画像を取得し切替表示するための制御を行なう切替表示ＣＰＵ３１ａを有している。
【００２４】
このように構成された第１の実施例である集合住宅インターホン装置で、カメラ付集合玄関機４からの画像信号と増設カメラ５からの画像信号を制御機３にて画像処理して、この画像処理した画像を居室親機１のモニタ２０にて表示させる場合について説明する。
【００２５】
来訪者がエントランスに設置されるカメラ対集合玄関機４から特定の居室親機１を呼び出すために呼出操作を行なうと、カメラ付集合玄関機４は制御機３を介して特定の居室親機１に呼出信号を送信すると共にカメラ４１で撮影された画像の画像信号を送信する。
【００２６】
特定の居室親機１はカメラ付集合玄関機４からの呼出信号を伝送線Ｌ２、制御機３、伝送線Ｌ１を介して受信する。具体的には、この呼出信号を端子Ｔ１４、データインターフェース回路１４を介してＣＰＵ１８で受信し、カメラ４１からの画像信号を端子Ｔ１２、映像１チャンネルインターフェース回路１２を介して画像表示制御部１７で受信する。ＣＰＵ１８はこのカメラ付集合玄関機４からの呼出信号に基づき通話回路１９を介してスピーカ２３から呼出音を鳴動させ、また、このカメラ４１からの画像信号に基づき画像表示制御部１７を介してモニタ２０にカメラ４１で撮影したエントランスを映し出す。このとき、居住者が居室親機１の切替ボタン２２を切替操作すると、当該居室親機１はＣＰＵ１８からデータインターフェース回路１４、端子Ｔ１４、伝送線Ｌ１を介して制御機３に画像切替信号を送信する。画像切替信号を受信した制御機３の切替表示ＣＰＵ３１ａは、カメラ付集合玄関機４のカメラ４１の画像信号から増設カメラ５の画像信号へ送信信号を切り替える。これにより、制御機３は増設カメラ５で撮影された画像信号を特定の居室親機１に送信する。
【００２７】
特定の居室親機１は、制御機３から伝送線Ｌ１を介して送信された増設カメラ５からの画像信号を端子Ｔ１２、映像１チャンネルインターフェース回路１２を介して画像表示制御部１７で受信し、モニタ２０に映し出すことができる。
【００２８】
このように、居室親機１の切替ボタン２２を選択操作することにより、制御機３の切替表示ＣＰＵ３１ａがその選択操作に応じてカメラ付集合玄関機４のカメラ４１からの画像または増設カメラ５からの画像を取得して当該居室親機１に送出するので、当該居室親機１の切替ボタン２２を選択操作するだけで必要な映像情報を容易に取得できる。これにより、例えば、居室親機１でカメラ付集合玄関機４と通話中に当該カメラ付集合玄関機４のカメラ４１に撮影されない範囲に来訪者がいても、瞬時にその来訪者を増設カメラ５で確認できる。
【００２９】
なお、この実施例１において、制御機３は、カメラ付集合玄関機４のカメラ４１からの画像、増設カメラ５からの画像を同時に受信したときに全ての画像を居室親機１のモニタ２０に予め定められたレイアウトで同時表示させるための制御を行なう同時表示ＣＰＵ３１ｂを有するようにしてもよい。
【００３０】
このような集合住宅インターホン装置において、来訪者がエントランスに設置されるカメラ付集合玄関機４から特定の居室親機１を呼び出すために呼出操作を行なうと、カメラ付集合玄関機４は伝送線Ｌ２、制御機３、伝送線Ｌ１を介して特定の居室親機１に呼出信号を送信し、また、カメラ付集合玄関機４および増設カメラ５は伝送線Ｌ２および伝送線Ｌ３を介して制御機３にそれぞれ画像信号を送信する。制御機３の同時表示ＣＰＵ３１ｂは、カメラ付集合玄関機４のカメラ４１からの画像、増設カメラ５からの画像を同時に受信したときに全ての画像を居室親機１のモニタ２０に同時表示させるために、カメラ付集合玄関機４のカメラ４１からの画像、増設カメラ５からの画像を画像処理し、図３（ａ）に示すような１画面に同時に表示させる同時表示画像信号を作成し、伝送線Ｌ１を介して特定の居室親機１に送信する。
【００３１】
特定の居室親機１はカメラ付集合玄関機４からの呼出信号を伝送線Ｌ２、制御機３、伝送線Ｌ１を介して受信する。具体的には、この呼出信号を端子Ｔ１４、データインターフェース回路１４を介してＣＰＵ１８で受信し、制御機３の同時表示ＣＰＵ３１ｂからの同時表示画像信号を端子Ｔ１２、映像１チャンネルインターフェース回路１２を介して画像表示制御部１７で受信する。
【００３２】
特定の居室親機１のＣＰＵ１８は、カメラ付集合玄関機４からの呼出信号に基づき通話回路１９を介してスピーカ２３から呼出音を鳴動させ、また、制御機３の同時表示ＣＰＵ３１ｂからの同時表示画像信号を画像表示制御部１７で受信すると、モニタ２０にカメラ４１および増設カメラ５で撮影した画像を、図３（ａ）に示すように、同時に映し出すことができる。
【００３３】
このように、制御機３の同時表示ＣＰＵ３１ｂは、カメラ付集合玄関機４のカメラ４１からの画像、増設カメラ５の画像を同時に受信すると、居室親機１のモニタ２０に同時表示できるように制御するので、二種類の必要な映像情報を同時に取得できる。
【００３４】
また、この実施例１において、制御機３は、カメラ付集合玄関機４のカメラ４１からの画像、増設カメラ５の画像を同時に受信したときに全ての画像を居室親機１のモニタ２０に表示させるために分割表示画面を作成する分割表示ＣＰＵ３１ｃを有するようにしてもよい。これにより、制御機３の分割表示ＣＰＵ３１ｃは、カメラ付集合玄関機４のカメラ４１からの画像、増設カメラ５の画像を同時に受信すると、居室親機１のモニタ２０に、図３（ｂ）に示すような分割表示画面に変換して同時表示できるように制御するので、二種類の必要な映像情報を同時に取得できる。
【００３５】
次に、本発明の第２の実施例である集合住宅インターホン装置について説明する。
【００３６】
第２の実施例である集合住宅インターホン装置は図１、図２に示すように、第１の実施例である集合住宅インターホン装置と、居室親機１の画像表示制御部１７および制御機３以外は構成がほぼ同じ構成なので、異なる部分のみ説明する。なお、居室親機１には、火災センサ、ガスセンサ等のセキュリティセンサ６、住戸玄関に設置されるカメラ付ドアホン２が接続されている。
【００３７】
居室親機１の画像表示制御部１７には、カメラ付集合玄関機４のカメラ４１からの画像、セキュリティセンサ６からのセンサ信号に基づく画像、増設カメラ５からの画像、カメラ付ドアホン２のカメラ２１からの画像を同時に複数受信したときモニタ２０に切替表示する画面を切り替えるための切替ボタン２２と、切替ボタン２２で切替られたカメラ付集合玄関機４のカメラ４１からの画像、セキュリティセンサ６からのセンサ信号に基づく画像、増設カメラ５からの画像、カメラ付ドアホン２のカメラ２１からの画像をモニタ２０に切替表示させるための切替表示ＣＰＵ１７ａとを備えている。
【００３８】
また、図２に示すように、居室親機１のＣＰＵ１８にはセキュリティセンサ６に接続させるための端子Ｔ１６、Ｔ１７、Ｔ１８に接続されるセキュリティセンサインターフェース回路２１が接続され、画像表示制御部１７にはカメラ付ドアホン２に接続させるための端子Ｔ１１に接続されるドアホンインターフェース回路１１と、セキュリティセンサ６から送信されたセンサ信号に対応して表示される画像データが予め格納されるセキュリティ画像メモリ１６と、端子Ｔ１３に接続され増設カメラ５からの画像信号が受信される映像２チャンネルインターフェース回路１３とが接続されている。
【００３９】
なお、図１中において、制御機３に切替表示ＣＰＵ３１ａ、同時表示ＣＰＵ３１ｂおよび分割表示ＣＰＵ３１ｃが記述されているが、この第２の実施例においては採用されない。
【００４０】
このように構成された第２の実施例である集合住宅インターホン装置で、カメラ付集合玄関機４からの画像と増設カメラ５からの画像を居室親機１の画像表示制御部１７にて画像処理して、この画像処理した画像を居室親機１のモニタ２０にて表示させる場合について説明する。
【００４１】
来訪者がエントランスに設置されるカメラ対集合玄関機４から特定の居室親機１を呼び出すために呼出操作を行なうと、カメラ付集合玄関機４は伝送線Ｌ２、制御機３、伝送線Ｌ１を介して特定の居室親機１に呼出信号を送信すると共にカメラ４１で撮影された画像の画像信号を送信する。
【００４２】
特定の居室親機１はカメラ付集合玄関機４からの呼出信号を伝送線Ｌ２、制御機３、伝送線Ｌ１を介して受信する。具体的には、この呼出信号を端子Ｔ１４、データインターフェース回路１４を介してＣＰＵ１８で受信し、カメラ４１からの画像信号を端子Ｔ１２、映像１チャンネルインターフェース回路１２を介して画像表示制御部１７で受信する。ＣＰＵ１８はこのカメラ付集合玄関機４からの呼出信号に基づき通話回路１９を介してスピーカ２３から呼出音を鳴動させ、また、このカメラ４１からの画像信号に基づき画像表示制御部１７を介してモニタ２０にカメラ４１で撮影したエントランスを映し出す。このとき、居住者が居室親機１の切替ボタン２２を切替操作すると、当該居室親機１の画像表示制御部１７の切替表示ＣＰＵ１７ａは、映像１チャンネルインターフェース１２を介して受信しているカメラ付集合玄関機４のカメラ４１の画像信号から映像２チャンネルインターフェース１３を介して受信している増設カメラ５の画像信号へ送信信号を切り替える。これにより、増設カメラ５で撮影した画像をモニタ２０に映し出すことができる。
【００４３】
このように、居室親機１の切替ボタン２２を選択操作することにより、当該居室親機１の画像表示制御部１７が有する切替表示ＣＰＵ１７ａが、その選択操作に応じてカメラ付集合玄関機４のカメラ４１からの画像または増設カメラ５からの画像をモニタ２０に切替表示することができるので、当該居室親機１の切替ボタン２２を選択操作するだけで必要な映像情報を容易に取得できる。
【００４４】
また、この実施例２において、居室親機１の画像表示制御部１７は、カメラ付集合玄関機４のカメラ４１からの画像、セキュリティセンサ６からのセンサ信号に基づく画像、増設カメラ５からの画像、カメラ付ドアホン２のカメラ２１からの画像を同時に複数受信したときに全ての画像をモニタ２０に同時表示させるための同時表示ＣＰＵ１７ｂを備えてもよい。
【００４５】
このような集合住宅インターホン装置において、来訪者がエントランスに設置されるカメラ付集合玄関機４から特定の居室親機１を呼び出すために呼出操作を行なうと、カメラ付集合玄関機４は伝送線Ｌ２、制御機３、伝送線Ｌ１を介して特定の居室親機１に呼出信号を送信し、また、カメラ付集合玄関機４および増設カメラ５はそれぞれ画像信号を伝送線Ｌ２および伝送線Ｌ３を介して制御機３に送信し、制御機３はその画像信号を伝送線Ｌ１を介して特定の居室親機１に送信する。居室親機１の画像表示制御部１７の同時表示ＣＰＵ１７ｂは、カメラ付集合玄関機４のカメラ４１からの画像、増設カメラ５からの画像を同時に受信したときに全ての画像を居室親機１のモニタ２０に同時表示させるために、カメラ付集合玄関機４のカメラ４１からの画像、増設カメラ５からの画像を画像処理し、図３（ａ）に示すような１画面に同時に表示させる同時表示画像信号を作成し、モニタ２０に同時に映し出すことができる。
【００４６】
このように、居室親機１の画像表示制御部１７の同時表示ＣＰＵ１７ｂは、カメラ付集合玄関機４のカメラ４１からの画像、増設カメラ５の画像を同時に受信すると、モニタ２０に同時表示できるように制御するので、二種類の必要な映像情報を同時に取得できる。
【００４７】
さらに、実施例２において、居室親機１の画像表示制御部１７は、カメラ付集合玄関機４のカメラ４１からの画像、セキュリティセンサ６からのセンサ信号に基づく画像、増設カメラ５からの画像、カメラ付ドアホン２のカメラ２１からの画像を同時に複数受信したときに全ての画像を居室親機１のモニタ２０に分割表示させるために分割表示画面を作成する分割表示ＣＰＵ１７ｃを備えてもよい。これにより、居室親機１の画像表示制御部１７の分割表示ＣＰＵ１７ｃは、カメラ付集合玄関機４のカメラ４１からの画像、増設カメラ５の画像を同時に受信すると、モニタ２０に、図３（ｂ）に示すような分割表示画面に変換して同時表示できるので、二種類の必要な映像情報を同時に取得できる。
【００４８】
なお、上述した第２の実施例では、画像信号として画像表示制御部１７に送信されているのがカメラ付集合玄関機４からの画像信号と増設カメラ５からの画像信号であったが、これに限らず、カメラ付ドアホン２のカメラ２１からの画像信号やセキュリティセンサ６のセンサ信号に対応して表示される画像データが予め格納されるセキュリティ画像メモリ１６からの画像信号が送信される場合には、それらの画像を居室親機１の切替ボタン２２で順次切り替えたり、それらの画像を所定のレイアウトや分割表示画面で同時表示したりすることができる。
【００４９】
【発明の効果】
以上説明したように、本発明の集合住宅インターホン装置によれば、居室親機または制御機に画像表示制御部を設けることによって、居室親機のモニタに映し出される映像の切替表示、同時表示または分割表示できるので、必要な映像情報を瞬時に確認できる。
【図面の簡単な説明】
【図１】本発明の集合住宅インターホン装置による好ましい実施の形態例を示すシステム構成図。
【図２】本発明の集合住宅インターホン装置に用いられる居室親機の構成の一実施例を示すブロック図。
【図３】居室親機のモニタに表示される映像画面を示す説明図で、（ａ）は予め定められたレイアウト画面による同時表示の図、（ｂ）は分割表示画面による同時表示の図。
【符号の説明】
１・・・・・居室親機
２・・・・・カメラ付ドアホン
３・・・・・制御機
４・・・・・カメラ付集合玄関機
５・・・・・増設カメラ
６・・・・・セキュリティセンサ
１７ａ・・・・・切替表示ＣＰＵ（画像表示制御部）
１７ｂ・・・・・同時表示ＣＰＵ（画像表示制御部）
１７ｃ・・・・・分割表示ＣＰＵ（画像表示制御部）
２０・・・・・モニタ
２２・・・・・切替ボタン
３１ａ・・・・・切替表示ＣＰＵ（制御機ＣＰＵ）
３１ｂ・・・・・同時表示ＣＰＵ（制御機ＣＰＵ）
３１ｃ・・・・・分割表示ＣＰＵ（制御機ＣＰＵ）
【図１】
2004180086.tif 000003
【図２】
2004180086.tif 000004
【図３】
2004180086.tif 000005